(57)【要約】      （修正有）【課題】家畜の、主として乳牛の乳頭を乳房炎から予防するために使用される保護材料において、より安全性が高い家畜用乳頭パッチを提供する。【解決手段】家畜の乳頭に貼付して、該家畜の乳頭口を保護するためのパッチであって、該パッチが弾性フィルム３の片面に粘着剤層４が積層された積層体２からなり、該粘着材層４がポリ（メタ）アクリレートを含むことを特徴とする家畜用乳頭パッチである。【選択図】図１
2020145996.tif 000002
【特許請求の範囲】
【請求項１】
家畜の乳頭に貼付して、該家畜の乳頭口を保護するためのパッチであって、該パッチが弾性フィルムの片面に粘着剤層が積層された積層体からなり、該粘着材層がポリ（メタ）アクリレートを含むことを特徴とする家畜用乳頭パッチ。
【発明の詳細な説明】
【技術分野】
【０００１】
本発明は、新規な家畜用乳頭パッチに関する。より具体的には、本発明は、長期間乳頭に密着し剥離し難く、その結果、長期間乳頭口を保護することが可能な新規な乳頭パッチに関する。
【背景技術】
【０００２】
乳牛の重大な疾病の一つに乳房炎がある。乳房炎は、細菌その他の微生物が乳頭口から乳房内へ侵入し、定着・増殖することによって起こる感染病であるが、その発生要因が複雑であり未だに根絶できていない。乳房炎に罹患すると、乳量や乳質が低下するだけでなく、抗生物質による治療を行った場合、薬剤の残留を考慮し、その治療期間中は乳を出荷することができない。更に、症状が重篤で治療が困難な場合は罹患牛を淘汰せざるを得ず、酪農家にとって甚大な経済的損失を与える疾病である。
【０００３】
現在、乳房炎の予防を目的として、搾乳を行う泌乳期には、搾乳前後に乳頭をディッピング剤（殺菌消毒剤水溶液）に浸漬する方法が一般的に用いられている。これは、乳頭皮膚表面に付着している乳房炎起因菌を殺菌消毒することが目的である。また、保湿剤成分等、皮膚の状態を改善する成分をディッピング剤に添加し、乳房炎起因菌の付着面積を低減する方法も用いられている。このような殺菌等を主目的とした様々なディッピング剤が提案（例えば特許文献１、特許文献２）されており、市場では多数の製品が市販されている。
【０００４】
一方で、搾乳を行わない乾乳期には、乾乳開始時に乳頭口から乳房内に抗生物質を注入し、乳房炎起因菌を乳房内で死滅させるという方法が一般的に用いられている。乾乳初期に関しては、抗生物質は一定の殺菌効果があり、乳房炎の予防に対して有効と考えられるが、抗生物質が乳頭口から漏洩する問題、乾乳期終了後搾乳開始時に抗生物質が生乳へ混入する問題、更には、長期間使用すると抗生物質に対する耐性菌が出現することも問題である。また、乾乳初期と分娩前の乾乳後期に乳房炎の新規罹患率が高くなることが報告されており（例えば非特許文献１、非特許文献２）、抗生物質による乳房炎対策は十分とは言い難い。
【０００５】
そこで、乳房炎起因菌から乳牛の乳頭を守る手段として、乳牛の乳頭全体を保護することにより、細菌その他の微生物が乳頭口から乳房内へ侵入することを防止する技術が提案されている。例えば、特許文献３には、「乳牛の乾乳期において、乳房炎に感染しやすい乾乳期の初めの約２日〜９日程度の間、及び分娩前約２日〜９日程度の間、乳頭を乳頭シール剤に浸漬して乳頭に乳頭口を閉塞する薄膜を形成した状態に保持しておくことにより、乳房炎起因菌の感染を物理的に阻止することを特徴とする乳牛の乳房炎予防方法。」が開示されている。特許文献３には、具体的に、乳頭口を浸漬させる乳頭シール剤として、テトラヒドロフラン、アセトニトリル、トリクロロエタン、トリクロロエチレン、メチレンクロライド等のフロン代替体、又はトルエン、キシレン等の芳香族化合物を溶媒として、ウレタンゴム、ラテックスゴム、ブタジエン樹脂、ポリビニルアルコール、液状ブチルゴム、液状ゴム、天然ゴム、ブチルゴム、ニトリルゴム、クロロプレンゴム、酢酸ビニルゴム等から選択されたゴム系素材を５〜１５％の濃度で溶解したものを記載している。しかしながら、特許文献３に記載のゴム系素材では、乳頭との密着性が不十分な場合があり、乳頭から剥がれ易く、乳房炎起因菌の感染を阻止する必要がある上記約２日〜約９日の期間において、乳頭口の閉塞を持続することができない場合があり改善の余地があった。
【０００６】
また、特許文献４には、「防水性を示し、切断時の伸び率が大きな可撓性フィルムからなり、巻き付け固定が可能であることを特徴とする家畜用乳頭保護材料」が開示されている。しかしながら、特許文献４に記載された方法は、乳頭外周にフィルムを巻き付け固定することが特徴であるが、乳頭先端の乳頭口付近は細くなっていることから、該方法ではフィルムを乳頭口に密着させることが困難な場合がある。その結果、本来保護すべき乳頭口とフィルムの間に間隙が生じる恐れがあり、そこから細菌等の原因菌が侵入する可能性があった。
【０００７】
また、特許文献５には、「乳房炎及び／又は乳頭炎に感染した家畜から搾乳することを防止するための家畜用乳頭マーキングフィルム」が開示されている。しかしながら、該マーキングフィルムは、乳房炎になった搾乳動物の判別に利用することが目的であり、乳頭保護を目的にしていない。また、支持体として記載されている不織布、織布、及び網布は防水性に乏しいことから、乳頭が糞尿等で汚れた場合、支持体を通して細菌が侵入する可能性があった。
【０００８】
また、特許文献６には、「少なくとも、水、カルシウム塩およびアルギン酸塩を含み、かつ、ゲル化前の粘度が５０００〜１５０万ｍＰａ・ｓｅｃである乳頭パック」が開示されている。更に、特許文献６には、該乳頭パック中にヨウ素などの抗菌剤を配合しておくことで、長期間乳頭を乳房炎起因菌などから保護できることが示されている。特許文献６に記載されている乳頭パックでは、アルギン酸塩や硫酸カルシウム塩からなる粉末成分を使用直前に、水などの溶剤と混錬して得られるペーストを乳頭に塗布して使用すると説明されている。硫酸カルシウムは水に不溶、つまり疎水性成分であり、水などの親水性溶剤中に均一に分散させることは非常に難しい場合があった。そのため、所望の分散性を得るためには、術者に多大な労力及び熟練を要求する場合があり、更には、混錬の際には粉末成分が周囲に飛散してしまう場合があり、改善の余地があった。また、特許文献６には、粉末であるアルギン酸塩や硫酸カルシウム塩からなる成分をグリセリンやプロピレングリコールなどの親水性溶剤に予め分散させておくことで、上記問題が軽減されるとしてあるが、この場合であっても表面が疎水的である硫酸カルシウムを親水性溶剤中に分散させておくのが困難な場合があった。そのため、経時的に沈降分離を起こしてしまう場合があった。その結果、場合によっては、使用する際（水と混錬する際）に、かえって分散性を損ねてしまい、混錬に時間がかかったり、気泡が混入したりして、得られる乳頭パックの均一性や硬化性が低下し、乳頭への密着性が悪化したり、乳頭から剥離し易くなったりしていた。
【０００９】
以上のように、乳房炎を予防するには、飼養環境の改善はもちろん必要であるが、原因菌を乳頭口から物理的に侵入しないようにすることが有効であり、搾乳期において半日程度、乾乳期においては、乾乳初期、及び、分娩前の乾乳後期において、１週間程度乳頭に密着し剥離せず、乳頭口を閉塞しうる乳頭保護材料が求められている。
【先行技術文献】
【特許文献】
【００１０】
【特許文献１】特許第３４０４７０４号
【特許文献２】特開平１１−１５５４０４号公報
【特許文献３】特開２０００−４１５２９号公報
【特許文献４】特開２００６−１２９７９５号公報
【特許文献５】特開２０１０−２１３６９１号公報
【特許文献６】特開２００６−５０９１１号公報
【非特許文献】
【００１１】
【非特許文献１】株式会社講談社サイエンティフィック編、新編畜産ハンドブック、２００６年９月１０日、株式会社講談社
【非特許文献２】Roger Blowery、Peter Edmondson著、浜名克己  監訳、牛の乳房炎コントロール増補改訂版、２０１２年２月２０日、株式会社緑書房
【発明の概要】
【発明が解決しようとする課題】
【００１２】
以上の通り、家畜の、主として乳牛の乳頭を乳房炎から予防するための材料が種々検討されている。
【００１３】
しかしながら、これら公知方法は、乳頭保護は可能であるものの、乳頭に被膜を形成させる繁雑な工程があり、また被膜を形成する必要がない場合でも、乳頭全体を覆う保護態様であるなど、作業性や密着性の点において改良の余地があった。
【００１４】
そこで本発明者らは、作業性と密着性の改良を目的に、乳頭全体を覆うのではなく、乳頭口を含む一部分を、粘着剤層を有する、乳頭口より大きいフィルムを用い貼付する技術の適用を試みた。しかしながら、本技術を適用すると作業性と密着性は確かに改善するものの、ただ単に大きいフィルムを使用するだけでは、乳頭形状に追従し難く、シワが入り易くなることや、貼付したフィルムが剥がれ易くなる（接着性不良）という問題点があることが判明した。したがって、作業性と密着性を良好にした上で、接着性にも優れる材料の開発が課題であった。
【００１５】
以上の背景にあって、本発明者らは既に特許６１８９５７４号、特願２０１７−１４９８７４号のような、上記課題を解決する家畜用乳頭パッチを提案している。
【００１６】
一方、近年化学物質の安全性がより厳格に問われるようになっており、上記した家畜用乳頭パッチにおいても、より安全性が高い材質であることが求められている。
【００１７】
したがって、本発明は、家畜の、主として乳牛の乳頭を乳房炎から予防するために使用される保護材料において、効果を損なわずより安全性が高い材料を用いた家畜用乳頭パッチを提供することを目的とする。
【課題を解決するための手段】
【００１８】
本発明者らは、家畜用乳頭パッチが弾性フィルムの片面に粘着剤層が積層された積層体からなる場合において、上記課題を解決するため、鋭意検討した。そして、粘着剤として、特定の成分を用いることにより、より安全性が高い家畜用乳頭パッチとすることができることを見出し、本発明を完成するに至った。
【００１９】
すなわち、本発明は、家畜の乳頭に貼付して、該家畜の乳頭口を保護するためのパッチであって、該パッチが弾性フィルムの片面に粘着剤層が積層された積層体からなり、該粘着材層がポリ（メタ）アクリレートを含むことを特徴とする家畜用乳頭パッチである。
【発明の効果】
【００２０】
本発明の家畜用乳頭パッチは、特定の成分の粘着剤を用いることにより、より安全性が高い物質を使用しつつ粘着性能を損なうことがないため、極めて有望な家畜用乳頭パッチである。
【図面の簡単な説明】
【００２１】
【図１】本発明の乳頭パッチの一例を示す断面図である。
【図２】本発明の乳頭パッチの一例を示す平面図である。
【図３】家畜の一例である乳牛を示す模式図である。
【図４】乳牛の乳頭を示す模式図である。
【発明を実施するための形態】
【００２２】
本発明の図面では特徴的な部分を分かりやすくするために、実際のものとは異なった比率で構成要素を示す場合がある。
【００２３】
本発明は、家畜の乳頭口を保護するためのパッチである。このパッチとは、弾性フィルムを主体とするものであり、乳頭口を含む乳頭部分を被覆するものである。そして、本発明の家畜用乳頭パッチ（以下、単に「乳頭パッチ」とする場合もある）は、弾性フィルムの片面に粘着剤層が積層された積層体からなる。
【００２４】
層構成は、弾性フィルムの片面に粘着剤層が構成されていれば、特に限定されず、それ以外の任意の層を積層してもよい。一例として図１で図示すると、この例では、弾性フィルム３と粘着剤層４とが積層されて積層体２を構成し、該積層体２の弾性フィルム側に保護フィルム５を、該積層体の粘着剤層側に離型シート６が積層されてなる。
【００２５】
この層構成では、剥離シート６を剥離した後、保護フィルム５付き該積層体２で家畜の乳頭口を被覆し、被覆後、保護フィルム５を剥離することにより、該積層体２のみが家畜の乳頭口に被覆された状態となる。
【００２６】
また、図１では、該積層体２、保護フィルム５および離型シート６は、一対として図示されているが、その態様のみならず、保護フィルム５と離型シート６との間に複数の積層体２を横または縦方向に並べて積層する態様、保護フィルム５に複数の積層体２を横または縦方向に並べて積層し、その上に離型シート６を積層体２単位で積層する態様もとり得ることができる。
【００２７】
（弾性フィルム）
本発明において、弾性フィルムは、乳頭パッチの基材となる部分である。
【００２８】
該弾性フィルムの材料としては、特に限定されるものではないが、オレフィン系エラストマー、スチレン系エラストマー、酢酸ビニル系エラストマー、軟質塩化ビニル系エラストマー、ウレタン系エラストマー等が挙げられる。これらのエラストマーの中でも、積層体（乳頭パッチ）が家畜等の柔らかい乳頭に形状追随性が特によい状態で貼付するためには、オレフィン系エラストマー、ウレタン系エラストマーが好適である
該弾性フィルムの大きさ・形状は、基本的には、積層体と同じ大きさ・形状である。また、フィルムの厚みは、取り扱いの観点から１０μｍ以上１００μｍ以下であることが好ましい。
【００２９】
また、弾性フィルムは、着色されていることが好適である。この着色により、積層体が貼付けられたことを、暗い牛舎内でも容易に視認することができる。その結果、貼付け作業や貼付け後の状態の確認が容易になる。その際、着色剤として、より安全性が高いものを使用することが好ましい。
【００３０】
（粘着剤層）
本発明において、粘着剤層（図１の粘着剤層４）に用いる粘着剤は、ポリ（メタ）アクリレートを含むアクリル系粘着剤であることが、家畜の乳頭に対して、安全でかぶれ等がないようにするために重要である。
【００３１】
前記ポリ（メタ）アクリレートは、公知の１種または複数の混合物が特に制限なく使用でき、たとえば、ポリ分岐アルキルアクリレート、メチルメタクリレート系共重合体等が挙げられる。
【００３２】
具体的に例示すると、ポリ分岐アルキルアクリレートとしては、イソブチルアクリレート、２−エチルヘキシルアクリレート等単量体の重合体が挙げられ、これら単量体を２種以上用いた共重合体としてもよい。また、メチルメタクリレート系共重合体としては、ブチルアクリレート―メチルメタクリレート共重合体等が挙げられる。
【００３３】
その中でも、イソブチルアクリレート−２−エチルヘキシルアクリレート共重合体、または、イソブチルアクリレート−２−エチルヘキシルアクリレート共重合体とブチルアクリレート―メチルメタクリレート共重合体との混合物が好適に使用できる。
【００３４】
前記ポリ（メタ）アクリレートを含むアクリル系粘着剤には、本発明の効果が損なわれない範囲で他の成分を含んでいてもよい。
【００３５】
該粘着剤層４は、少なくとも弾性フィルム３の片面に積層される。当然のことながら、この粘着剤層４が積層される面が乳頭口および乳頭側面に接する。粘着剤層４は、弾性フィルム３の片面であれば、片面の全部、あるいはその一部に積層されればよいが、積層体（乳頭パッチ）の生産性、乳頭への接着性等を考慮すると、弾性フィルム３の片面全面に粘着剤層４が形成されているのが好ましい。
【００３６】
該粘着剤層４の厚みは、乳頭への十分な接着性を確保できれば、制限されるものではなく、通常、１μｍ以上５０μｍ以下であることが好ましい。
【００３７】
（保護フィルム）
本発明で任意に使用される保護フィルムは、保管時における弾性フィルムの変形を防止し、弾性フィルム同士が接着することを防止することを可能とするものである。
【００３８】
該保護フィルムの材質は特に制限されるものではないが、腰のあるフィルムとし、弾性フィルムよりも引張弾性率が大きいものが好適である。このような観点から、保護フィルムとしては、各種熱可塑性樹脂のフィルム、例えばポリエチレンテレフタレート（ＰＥＴ）等といったポリエステル製フィルム、ポリエチレン、ポリプロピレン等といったオレフィン系樹脂フィルム等が使用され、その中でもポリプロピレンフィルム、ポリエステルフィルムが特に好適である。また、目的に応じて、透明性を有するフィルムを用いてもよいし、半透明化または不透明化したフィルムを用いてもよい。
【００３９】
該保護フィルムの厚みは、操作性を考慮して、３０μｍ以上であることが好ましく、４０μｍ以上であることがより好ましい。なお、保護フィルムの厚みの上限は、特に制限されないが、操作性及び経済性を考慮すると、３００μｍ以下であることが好ましい。
【００４０】
また、サイズも前記積層体を保護できれば特に限定されない。
【００４１】
（離型シート）
本発明で任意に使用される離型シートは、製造時や保管時において、粘着剤層同士、および粘着剤層と保護フィルムが接着することを防止することを可能とするものである。
【００４２】
該保護フィルムの材質は、未使用時に粘着剤層に保持されているが、容易に剥がすことができる材料によって形成されることが好ましい。この点に鑑み、離型シートは、例えばシリコーンペーパ等といった離型紙が好適である。
【００４３】
また、サイズも前記積層体の粘着材層と他層との接着を防止できれば特に限定されない。また、保護フィルムとのサイズも目的に応じて、同サイズ、剥離シート＞保護フィルム、剥離シート＜保護フィルムのいずれの態様も採り得る。
【００４４】
（乳頭パッチ）
本発明において乳頭パッチは、前記弾性フィルムと、前記粘着剤層とを有する積層体からなる。形状は特に限定されず、任意の形状でよい。一例として図２で図示すると、この例では、該積層体２は、該乳頭口に貼り付けられる乳頭口保護部８と、該乳頭口保護部８と接続した乳頭側面に貼り付けられる複数の乳頭側面保護部９とを有しており、該乳頭口保護部８と該乳頭側面保護部９とに粘着剤層が積層されている。図２に例示した形状の場合、この複数の乳頭側面保護部９は、それぞれ独立して存在する。そして、隣り合う乳頭側面保護部９の少なくとも１部が、乳頭に貼付時に重なり合う構造となる。
【００４５】
図２では、該乳頭口保護部８が円形である場合の例示を示しており、直径ｄが乳頭口保護部８の直径に該当する。この直径ｄは、用いる家畜の乳頭口の大きさに合わせて適宜選択されるが、通常は２５〜３５ｍｍの範囲が選択される。
【００４６】
また、本発明の家畜用乳頭パッチを使用する場合には、乳頭に貼付する前に、殺菌消毒剤を乳頭口に塗布するか、又は殺菌消毒剤を乳管に注入することもできる。また、前記殺菌消毒剤含ませたウェットティッシュで拭き取る操作をおこなってもよい。
【００４７】
以下、家畜である乳牛を例に説明する。
【００４８】
図３は家畜の一例である乳牛１０を示している。乳牛１０は乳房１１を有しており、乳房１１から乳頭１２が垂下している。図４に示すように、乳頭１２の内部に乳管１３が存在する。符号Ｕは乳頭１２の上部を示している。符号Ｌは乳頭１２の下部を示している。乳管１３は乳頭１２の上下方向に延びている。乳管１３の下端は乳頭１２の下端の外部へ開口している。この開口が乳頭口１４である。作業者が搾乳を行うと、すなわち乳頭１２を絞ると、乳牛の乳が乳管１３を流下して乳頭口１４から外部へ取り出される。
【００４９】
乳牛１０に対して搾乳を行う期間である搾乳期においては半日程度の間、また、細菌等により感染し易い乾乳期（例えば、乾乳初期、及び分娩前の乾乳後期）においては１週間程度の間、乳牛１０の乳頭口１４を覆うように、当て物としての積層体２が乳頭１２の先端に貼付けられる。また、家畜の個体差によらず、乾乳期の感染を確実に防ぐために、１０日以上、好ましくは２週間程度の間、当て物としての積層体２が乳頭１２の先端に貼付けられる。
【実施例】
【００５０】
以下、本発明を、実施例を用いて説明するが、本発明は以下の実施例に限定されるものではない。
【００５１】
以下、実施例において、弾性フィルムとして厚み２０μｍのウレタン系エラストマー、粘着剤層として厚み２０μｍのイソブチルアクリレート−２−エチルヘキシルアクリレート共重合体及びブチルアクリレート−メチルメタクリレート共重合体からなるアクリル系粘着剤を用いて積層体とした。なお、保護フィルムとして厚さ６０μｍの二軸延伸ポリプロピレンを、離型シートとして厚み７５μｍのシリコーンペーパを使用し、保護フィルム、積層体、剥離シートの順に積層して、家畜の乳頭口当て物組品を準備した。
【００５２】
積層体について、「粘着力」、「裏面剥離強度」、「タック性」を評価した。
【００５３】
なお、粘着力等の測定において、弾性フィルムの伸びが影響するものについては、ポリエチレンテレフタレートフィルムを裏面に裏打ちして、弾性フィルムの伸びの影響をなくして測定した。
【００５４】
以下、「粘着力」、「裏面剥離強度」、「タック性」について図１ないし図４を交えて説明する。
【００５５】
粘着テープのような粘着材料は、一般に、「粘着力」（すなわち剥離力）、「タック性」（すなわち粘着性）によってその特性を表すことができる。粘着力は恒久的な接着性の指針と考えられている。タック性は瞬間的な接着性の指針と考えられている。「粘着力」、「タック性」の測定方法は、例えばＪＩＳ  Ｚ  ０２３７の規格によって規定される。なお、試験に用いたローラーは２ｋｇの手動式圧着措置であり、圧着は該ローラーを２往復させ、各種測定は圧着後、２０分後のものを測定した。
「粘着力」：
粘着力は、例えば、ピール粘着力試験法によって測定できる。ピール粘着力試験法は、試験板に試料を貼付けた後、試料を角度１８０°方向に引き剥がすのに要する力を測定する方法である。本発明では、幅２５ｍｍの試料を引き剥がすときの力として規定している。粘着力が５Ｎ／２５ｍｍ以上となることが好ましい。粘着力が５Ｎ／２５ｍｍ以上であれば、乳頭に貼り付けられた積層体の乳頭に対する密着性がより高まる。また、乳頭において、経時で角質が古くなっても、より安定して、長期間、乳頭に貼付できる。
【００５６】
乳頭１２は皮膚であるので、一般的に、物が貼付き難い。積層体２の粘着力が５Ｎ／２５ｍｍより小さいと、積層体２が乳頭１２に適正に貼付かず、剥がれてしまう。さらには、貼付できたとしても、乳頭の角質が古くなることにより、長期間の貼り付けることが困難となる。
【００５７】
一方、積層体２の粘着力の上限は、特に制限される訳ではないが、５０Ｎ／２５ｍｍ以下とすることが好ましい。家畜は生き物であるため、不測の事態が生じる場合があり、このような場合には、乳頭に貼付した積層体２を取り除く必要がある。粘着力を５０Ｎ／２５ｍｍ以下とすることにより、予定よりも短い期間で該積層体２を取り除いたとしても、該積層体２を乳頭から容易に取り除くことができる。つまり、粘着力を５０Ｎ／２５ｍｍ以下とすることにより、柔らかい積層体２を使用しているにも拘らず、比較的短期間で乳頭から積層体２を除去する場合があっても、該積層体２が破れにくく、容易に除去することが可能となる。
【００５８】
例えば、乳牛の場合、乾乳期と考えていた時期に急に出産に至る場合がある。この場合、生まれた子牛に与える乳汁を採取するために、乳頭に貼付した積層体２を、例えば、３日以内に取り除く必要が生じることがある。この場合、本発明の積層体２は、柔らかいため、乳頭に古い角質が多く生成されない場合には、乳頭から取り除く際に積層体２が破れ、除去に手間がかかってしまう。このような場合に対応するため、積層体２の粘着力を５０Ｎ／２５ｍｍ以下とすることにより、比較的短期間で乳頭から除去する場合でもあっても、積層体２が破れない状態で乳頭から除去できるようになる。
【００５９】
そのため、長期間の安定した乳頭への貼付と、それとは相対する比較的短期間での乳頭からの除去の両方の性能を高度に達成するためには、積層体２の粘着力は、以下の範囲であることが好ましい。具体的には、５Ｎ／２５ｍｍ以上５０Ｎ／２５ｍｍ以下であることが好ましく、１０Ｎ／２５ｍｍ以上４５Ｎ／２５ｍｍ以下とすることがより好ましい。
「裏面剥離強度」：
本発明においては、積層体２において、粘着剤層４が積層された面と反対側の表面同士を、２３℃、２ｋｇのローラーを使用して重ね合わせた後、重ね合わせた積層体２を剥離する際の強度（以下、単に「裏面剥離強度」とする場合もある。）が５Ｎ／２５ｍｍ以上３０Ｎ／２５ｍｍ以下となることが好ましい。この測定条件は、前記ＪＩＳ  Ｚ０２３７に従う。
【００６０】
該裏面剥離強度が前記範囲を満足することにより、積層体２が重なり部を有する形状である場合に、優れた効果を発揮する。すなわち、積層体２における粘着剤層４と反対側の表面同士が適正な接着強度の下に互いに接着する。これにより、乳頭に貼り付けられた積層体２において、仮に浮きが生じたとしても、該表面同士が密着するため、浮きをなくすことができる。その結果、積層体２が乳頭に対して剥がれ難くなり、乳頭と積層体２との間から細菌等が侵入し難くなる。また、該裏面剥離強度が上記範囲であれば、操作性よく、乳頭に積層体２を貼付できる。上記効果をより顕著にするためには、該裏面剥離強度は、１０Ｎ／２５ｍｍ以上２５Ｎ／２５ｍｍ以下とすることがより好ましく、１０Ｎ／２５ｍｍ以上２０Ｎ／２５ｍｍ以下とすることがさらに好ましい。
「タック性」：
タック性は瞬間的な接着性の指針と考えられている。タック性はいわゆるベタツキの程度である。タック性すなわちベタツキと粘着力とは全く別の要素である。例えば付箋紙は、ベタツキが大きくても粘着力が低い品物である。
【００６１】
本発明においては、ＪＩＳ  Ｚ  ０２３７で採用されるタックの測定法に準ずる。ＪＳＩ  Ｚ  ０２３７に規定されている傾斜角度は２０°、３０°、又は、４０°であるが、本発明においては、タック性をより高精度に評価することを目的として、傾斜角は１５°とした。すなわち、傾斜角１５°の傾斜板に直径１／３２インチから１インチまでの３２種の鋼球を少なくとも１つ転がし、粘着面で停止した最大径のボールナンバーをタック性を示す値として特定する。この値が本発明態様におけるボールタックナンバーである。
【００６２】
ボールタックナンバーが３より小さいと、積層体２の瞬間的な接着力が小さくなるので、積層体２が乳頭１２への貼付け直後に剥がれてしまうおそれがある。ボールタックナンバーを３以上に設定すれば、積層体２を乳頭１２に貼付けた直後、又は貼付けてから短時間の間において、積層体２の接着状態を安定に保持できる。乳牛１０のような家畜は動き回ることが多いので、瞬間的に安定した接着状態を確立できるということは、家畜を対象とする当て物にとっては大きな利点である。
【００６３】
一方、ボールタックナンバーの上限は、特に制限されるものではない。ただし、ボールタックナンバーが３０よりも大きいと、粘着剤層の厚みを厚くしなければならず、工業的な生産が難しくなったり、乳頭へ貼付する際の操作性が低下する傾向にある。そのため、ボールタックナンバーは３０以下とすることがより好ましい。
【００６４】
以下、積層体の物性評価結果を表１に示す。
【００６５】
【表１】
2020145996.tif 000003
【００６６】
実施例１
（乳牛による粘着維持評価）
前記乳頭口当て物部品を使用して、ホルスタイン種の乳牛３頭の乳頭に該積層体（乳頭口当て物）を図４に示すように貼付し、粘着維持性を評価した。
結果を表２に示した。
【００６７】
なお、今回試験を実施したホルスタイン種の乳牛３頭は、全て乾乳牛である。保護パッチを貼りつける前に、乳頭先端部に付着した汚れや皮脂をウェットティッシュで拭きとった。
【００６８】
保護パッチの付着状態を、下記の基準に従って４段階で評価した。
【００６９】
３：乳頭からの保護パッチの剥離、浮きが観られない。
【００７０】
２：保護パッチの端部が浮いた状態である。
【００７１】
１：保護パッチの端部が完全に剥離している。
【００７２】
０：保護パッチ全体が完全に剥離している。
（積層体の貼付操作性評価）
乳頭への貼付は以下のように実施した。先ず、前記乳頭口用当て物組品から離型シートを分離し、粘着剤層４を乳頭に密着させる。次いで、該積層体から保護フィルムを分離することにより、該積層体を乳頭に貼付する。この時、操作性を以下の方法で評価した。
（操作性評価−１；最初の貼付時の評価）
３：粘着剤層４を乳頭に密着させた際、全試験において、問題なく乳頭に密着した。
【００７３】
２：粘着剤層４を乳頭に密着させた際、１２回中、１回以上４回以下の試験において
、乳頭に十分に密着しないものがあった。
【００７４】
１：粘着剤層４を乳頭に密着させた際、１２回中、５回以上の試験において、乳頭に
十分に密着しないものがあった。
（操作性評価−２；保護フィルムを分離した際の評価）
３：積層体を乳頭に貼付した後、保護フィルムを分離する際、全試験において、保護
フィルムを問題なく分離できた。
【００７５】
２：積層体を乳頭に貼付した後、保護フィルムを分離する際、１２回中、１回以上４
回以下の試験において、積層体同士が密着して上手く貼付できなかった（やり
直しが必要であった）。
【００７６】
１：積層体を乳頭に貼付した後、保護フィルムを分離する際、１２回中、５回以上の
試験において、積層体同士が密着して上手く貼付できなかった（やり直しが必
要であった）。
（積層体の除去操作性評価）
前記の粘着維持評価とは別に、一旦、乳頭に貼付した積層体を除去する際の操作性（除去操作評価）を評価した。この除去操作性評価は、不測の事態が生じて急遽、乳頭に貼付した積層体を除去する場合を想定したものであり、乳頭に積層体を貼付した３日後に、該積層体を乳頭から除去する際の操作性を以下の方法で評価した。なお、前記除去操作評価においては、前記貼付操作性評価において、不良となったものが生じた際には、再度、積層体を貼付し直し、綺麗な状態で乳頭に貼付されたものの評価を行った。
【００７７】
３：貼付３日後、乳頭から積層体を除去する際、全試験において、積層体が破れる
ことなく除去することができた。
【００７８】
２：貼付３日後、乳頭から積層体を除去する際、１２回中、１回以上４回以下の試
験において、積層体が破れた。
【００７９】
１：貼付３日後、乳頭から積層体を除去する際、１２回中、５回以上の試験におい
て、積層体が破れた。
【００８０】
【表２】
2020145996.tif 000004
【符号の説明】
【００８１】
２．積層体
３．弾性フィルム
４．粘着剤層
５．保護フィルム
６．離型シート
８．乳頭口保護部
９．乳頭側面保護部
１０．乳牛
１１．乳房
１２．乳頭
１３．乳管
１４．乳頭口
ｄ．直径
Ｅ．幅広部
Ｌ１．縦方向長さ
Ｌ２．横方向長さ
【図１】
2020145996.tif 000005
【図２】
2020145996.tif 000006
【図３】
2020145996.tif 000007
【図４】
2020145996.tif 000008